(57)【要約】【課題】圧縮機で発生した熱を蓄積する蓄熱材を効率的に熱交換可能な蓄熱装置及びこの蓄熱装置を用いた空気調和機を提供すること。【解決手段】圧縮機６を囲むように配設され、圧縮機６で発生した熱を蓄積するための蓄熱装置を、圧縮機６で発生した熱を蓄積する蓄熱材を収容する蓄熱槽３２と、その周囲に設けられた断熱材５８と、蓄熱槽３２に収容された蓄熱熱交換器３４とで構成し、断熱材５８の高さ方向の重心位置を蓄熱槽３２の高さ方向の中心位置よりも下方に設定した。【選択図】図６
2012072963.tif 000002
【特許請求の範囲】
【請求項１】
圧縮機を囲むように配設され、該圧縮機で発生した熱を蓄積するための蓄熱装置であって、
前記圧縮機で発生した熱を蓄積する蓄熱材と、前記蓄熱材を収容する蓄熱槽と、前記蓄熱槽に設けられた断熱材とを備え、
前記断熱材の高さ方向の中心位置を前記蓄熱槽の高さ方向の中心位置よりも下方に設定したことを特徴とする蓄熱装置。
【請求項２】
前記蓄熱槽に前記圧縮機よりも上方もしくは下方に延在する延在部を設け、前記断熱材は前記延在部の周囲にのみ配設したことを特徴とする請求項１に記載の蓄熱装置。
【請求項３】
前記断熱材は少なくとも前記蓄熱槽の底面に配設されていることを特徴とする請求項１もしくは２に記載の蓄熱装置。
【請求項４】
前記断熱材に真空方式のものを用いたことを特徴とする請求項１乃至３のいずれか１項に記載の蓄熱装置。
【請求項５】
請求項１乃至４のいずれか１項に記載の蓄熱装置を備えることを特徴とする空気調和機。
【請求項６】
前記蓄熱槽の内部に蓄熱熱交換器を設け、前記圧縮機の立ち上がり時に、前記蓄熱熱交換器に冷媒を流すように設定したことを特徴とする請求項５に記載の空気調和機。
【発明の詳細な説明】
【技術分野】
【０００１】
本発明は、圧縮機を囲むように配置され圧縮機で発生した熱を蓄積する蓄熱材を収容する蓄熱装置及びこの蓄熱装置を備えた空気調和機に関する。
【背景技術】
【０００２】
従来、ヒートポンプ式空気調和機による暖房運転時、室外熱交換器に着霜した場合には、暖房サイクルから冷房サイクルに四方弁を切り替えて除霜を行っている。この除霜方式では、室内ファンは停止するものの、室内機から冷気が徐々に放出されることから暖房感が失われるという欠点がある。
【０００３】
そこで、室外機に設けられた圧縮機に蓄熱装置を設け、暖房運転中に蓄熱槽に蓄えられた圧縮機の廃熱を利用して除霜するようにしたものが提案されており、このとき、蓄熱槽に蓄えられた廃熱を出来る限り漏らさないように断熱材の使用が提案されている（例えば、特許文献１参照）。
【先行技術文献】
【特許文献】
【０００４】
【特許文献１】特開昭６３−２０４０７２号公報
【発明の概要】
【発明が解決しようとする課題】
【０００５】
特許文献１に記載の蓄熱装置においては、断熱材を圧縮機と蓄熱槽の周囲に配設するという提案がなされている。しかしながらその詳細については記載されておらず、実際に使用するには不十分であり、工夫の余地がある。つまり、蓄熱槽から外部への熱の漏洩は一様ではなく、場所によりその程度が大きい部分もあれば小さい部分もあるため、単純に断熱材を圧縮機と蓄熱槽の周囲に配設すれば良いのではなく、その配設方法が重要となってくる。
【０００６】
本発明は、従来技術の有するこのような問題点に鑑みてなされたものであり、圧縮機で発生した熱を効率的に蓄積する蓄熱装置及びこの蓄熱装置を用いた空気調和機を提供することを目的としている。
【課題を解決するための手段】
【０００７】
上記目的を達成するために、本発明は、圧縮機を囲むように配設され、圧縮機で発生した熱を蓄積するための蓄熱装置であって、圧縮機で発生した熱を蓄積する蓄熱材と、蓄熱材を収容する蓄熱槽と、蓄熱槽に設けられた断熱材とを備え、断熱材の高さ方向の中心位置を蓄熱槽の高さ方向の中心位置よりも下方に設定している。
【発明の効果】
【０００８】
上記構成の蓄熱装置において、蓄熱材に蓄積された熱は、とりわけ温度の低い地面もしくはその近傍へと漏洩しやすいが、本発明では、断熱材が熱が漏洩しやすい蓄熱槽の下方を中心に配設されているので、効率よく断熱することができる。
【図面の簡単な説明】
【０００９】
【図１】本発明に係る蓄熱装置を備えた空気調和機の構成を示す図
【図２】図１の空気調和機の通常暖房時の動作及び冷媒の流れを示す模式図
【図３】図１の空気調和機の除霜・暖房時の動作及び冷媒の流れを示す模式図
【図４】圧縮機とアキュームレータを取り付けた状態の本発明に係る蓄熱装置の斜視図
【図５】図４の蓄熱装置の分解斜視図
【図６】断熱材配設時の斜視図
【図７】図４の蓄熱装置の斜視図
【図８】図７における線ＶＩＩ−ＶＩＩに沿った断面図
【図９】図７における線ＶＩＩＩ−ＶＩＩＩに沿った断面図
【発明を実施するための形態】
【００１０】
本発明は、圧縮機を囲むように配設され、圧縮機で発生した熱を蓄積するための蓄熱装置であって、圧縮機で発生した熱を蓄積する蓄熱材と、蓄熱材を収容する蓄熱槽と、蓄熱槽に設けられた断熱材とを備え、断熱材の高さ方向の中心位置を蓄熱槽の高さ方向の中心位置よりも下方に設定している。
【００１１】
この構成により、蓄熱槽に収容された蓄熱材の熱の漏洩を効率よく抑えることができる。
【００１２】
具体的には、蓄熱材に蓄積された熱は外気により徐々に温度が下がっていく。とりわけ、地面、もしくはその近傍へと奪われる熱量が大きく、そのため断熱材をより低部へ配置することがその防止に効果的となる。
【００１３】
さらには、蓄熱槽に圧縮機よりも上方もしくは下方に延在する延在部を設け、断熱材を圧縮機の周囲には配設せずに延在部の周囲にのみ配設することにより、断熱材の使用量を低減できるだけでなく、特に夏場の外気温の高い状態において、圧縮機の放熱を妨げないようにできる。
【００１４】
またさらには、断熱材を少なくとも蓄熱槽の底面に配設することにより、温度の低い地面への熱の漏洩を防ぐことができる。
【００１５】
さらに、この断熱材として断熱効率の良い真空方式のものを用いることにより、その容積が小さくてすむため、室外機内の断熱材に使用されるスペースの削減、しいては室外機サイズの小型化につながる。
【００１６】
また、本発明の他の態様は、圧縮機と、圧縮機を囲むように配設された上述した構成の蓄熱装置と、を備える空気調和機である。
【００１７】
さらに、この蓄熱装置を備えた空気調和機において、圧縮機の立ち上がり時において蓄熱熱交換器に冷媒を流すことにより、この蓄熱装置も熱源となり、冷媒が奪える熱量が多くなるため、冷凍サイクルが不安定になりがちな圧縮機の立ち上がり時においても、その性能を確保できる。
【００１８】
以下、本発明の実施の形態について、図面を参照しながら説明する。
【００１９】
（実施の形態１）
図１は、本発明に係る蓄熱装置を備えた空気調和機の構成を示しており、空気調和機は、冷媒配管で互いに接続された室外機２と室内機４とで構成されている。
【００２０】
図１に示されるように、室外機２の内部には、圧縮機６と四方弁８とストレーナ１０と膨張弁１２と室外熱交換器１４とが設けられ、室内機４の内部には、室内熱交換器１６が設けられ、これらは冷媒配管を介して互いに接続されることで冷凍サイクルを構成してい
る。
【００２１】
さらに詳述すると、圧縮機６と室内熱交換器１６は、四方弁８が設けられた第１配管１８を介して接続され、室内熱交換器１６と膨張弁１２は、ストレーナ１０が設けられた第２配管２０を介して接続されている。また、膨張弁１２と室外熱交換器１４は第３配管２２を介して接続され、室外熱交換器１４と圧縮機６は第４配管２４を介して接続されている。
【００２２】
第４配管２４の中間部には四方弁８が配置されており、圧縮機６の冷媒吸入側における第４配管２４には、液相冷媒と気相冷媒を分離するためのアキュームレータ２６が設けられている。また、圧縮機６と第３配管２２は、第５配管２８を介して接続されており、第５配管２８には第１電磁弁３０が設けられている。
【００２３】
さらに、圧縮機６の周囲には蓄熱槽３２が設けられ、蓄熱槽３２の内部には、蓄熱熱交換器３４が設けられるとともに、蓄熱熱交換器３４と熱交換するための蓄熱材（例えば、エチレングリコール水溶液）３６が充填されており、蓄熱槽３２と蓄熱熱交換器３４と蓄熱材３６とで蓄熱装置を構成している。
【００２４】
また、第２配管２０と蓄熱熱交換器３４は第６配管３８を介して接続され、蓄熱熱交換器３４と第４配管２４は第７配管４０を介して接続されており、第６配管３８には第２電磁弁４２が設けられている。
【００２５】
室内機４の内部には、室内熱交換器１６に加えて、送風ファン（図示せず）と上下羽根（図示せず）と左右羽根（図示せず）とが設けられており、室内熱交換器１６は、送風ファンにより室内機４の内部に吸込まれた室内空気と、室内熱交換器１６の内部を流れる冷媒との熱交換を行い、暖房時には熱交換により暖められた空気を室内に吹き出す一方、冷房時には熱交換により冷却された空気を室内に吹き出す。上下羽根は、室内機４から吹き出される空気の方向を必要に応じて上下に変更し、左右羽根は、室内機４から吹き出される空気の方向を必要に応じて左右に変更する。
【００２６】
なお、圧縮機６、送風ファン、上下羽根、左右羽根、四方弁８、膨張弁１２、電磁弁３０，４２等は制御装置（図示せず、例えばマイコン）に電気的に接続され、制御装置により制御される。
【００２７】
上記構成の本発明に係る冷凍サイクル装置において、各部品の相互の接続関係と機能とを、暖房運転時を例にとり冷媒の流れとともに説明する。
【００２８】
圧縮機６の吐出口から吐出された冷媒は、第１配管１８を通って四方弁８から室内熱交換器１６へと至る。室内熱交換器１６で室内空気と熱交換して凝縮した冷媒は、室内熱交換器１６を出て第２配管２０を通り、膨張弁１２への異物侵入を防止するストレーナ１０を通って、膨張弁１２に至る。膨張弁１２で減圧した冷媒は、第３配管２２を通って室外熱交換器１４に至り、室外熱交換器１４で室外空気と熱交換して蒸発した冷媒は、第４配管２４と四方弁８とアキュームレータ２６を通って圧縮機６の吸入口へと戻る。
【００２９】
また、第１配管１８の圧縮機６吐出口と四方弁８の間から分岐した第５配管２８は、第１電磁弁３０を介して第３配管２２の膨張弁１２と室外熱交換器１４の間に合流している。
【００３０】
さらに、内部に蓄熱材３６と蓄熱熱交換器３４を収納した蓄熱槽３２は、圧縮機６に接して取り囲むように配置され、圧縮機６で発生した熱を蓄熱材３６に蓄積し、第２配管２
０から室内熱交換器１６とストレーナ１０の間で分岐した第６配管３８は、第２電磁弁４２を経て蓄熱熱交換器３４の入口へと至り、蓄熱熱交換器３４の出口から出た第７配管４０は、第４配管２４における四方弁８とアキュームレータ２６の間に合流する。なお、合流する場所はアキュームレータ２６と圧縮機６の間でも良く、その場合、アキュームレータ２６自身が持つ熱容量によって熱を奪われること避けることができる。
【００３１】
次に、図１に示される空気調和機の通常暖房時の動作及び冷媒の流れを模式的に示す図２を参照しながら通常暖房時の動作を説明する。
【００３２】
通常暖房運転時、第１電磁弁３０と第２電磁弁４２は閉制御されており、上述したように圧縮機６の吐出口から吐出された冷媒は、第１配管１８を通って四方弁８から室内熱交換器１６に至る。室内熱交換器１６で室内空気と熱交換して凝縮した冷媒は、室内熱交換器１６を出て、第２配管２０を通り膨張弁１２に至り、膨張弁１２で減圧した冷媒は、第３配管２２を通って室外熱交換器１４に至る。室外熱交換器１４で室外空気と熱交換して蒸発した冷媒は、第４配管２４を通って四方弁８から圧縮機６の吸入口へと戻る。
【００３３】
また、圧縮機６で発生した熱は、圧縮機６の外壁から蓄熱槽３２の外壁を介して蓄熱槽３２の内部に収容された蓄熱材３６に蓄積される。
【００３４】
次に、図１に示される空気調和機の除霜・暖房時の動作及び冷媒の流れを示す模式的に示す図３を参照しながら除霜・暖房時の動作を説明する。図中、実線矢印は暖房に供する冷媒の流れを示しており、破線矢印は除霜に供する冷媒の流れを示している。
【００３５】
上述した通常暖房運転中に室外熱交換器１４に着霜し、着霜した霜が成長すると、室外熱交換器１４の通風抵抗が増加して風量が減少し、室外熱交換器１４内の蒸発温度が低下する。本発明に係る空気調和機には、図３に示されるように、室外熱交換器１４の配管温度を検出する温度センサ４４が設けられており、非着霜時に比べて、蒸発温度が低下したことを温度センサ４４で検出すると、制御装置から通常暖房運転から除霜・暖房運転への指示が出力される。
【００３６】
通常暖房運転から除霜・暖房運転に移行すると、第１電磁弁３０と第２電磁弁４２は開制御され、上述した通常暖房運転時の冷媒の流れに加え、圧縮機６の吐出口から出た気相冷媒の一部は第５配管２８と第１電磁弁３０を通り、第３配管２２を通る冷媒に合流して、室外熱交換器１４を加熱し、凝縮して液相化した後、第４配管２４を通って四方弁８とアキュームレータ２６を介して圧縮機６の吸入口へと戻る。
【００３７】
また、第２配管２０における室内熱交換器１６とストレーナ１０の間で分流した液相冷媒の一部は、第６配管３８と第２電磁弁４２を経て、蓄熱熱交換器３４で蓄熱材３６から吸熱し蒸発、気相化して、第７配管４０を通って第４配管２４を通る冷媒に合流し、アキュームレータ２６から圧縮機６の吸入口へと戻る。
【００３８】
アキュームレータ２６に戻る冷媒には、室外熱交換器１４から戻ってくる液相冷媒が含まれているが、これに蓄熱熱交換器３４から戻ってくる高温の気相冷媒を混合することで、液相冷媒の蒸発が促され、アキュームレータ２６を通過して液相冷媒が圧縮機６に戻ることがなくなり、圧縮機６の信頼性の向上を図ることができる。
【００３９】
除霜・暖房開始時に霜の付着により氷点下となった室外熱交換器１４の温度は、圧縮機６の吐出口から出た気相冷媒によって加熱されて、零度付近で霜が融解し、霜の融解が終わると、室外熱交換器１４の温度は再び上昇し始める。この室外熱交換器１４の温度上昇を温度センサ４４で検出すると、除霜が完了したと判断し、制御装置から除霜・暖房運転
から通常暖房運転への指示が出力される。
【００４０】
図４及び図５は蓄熱装置を示しており、蓄熱装置は、上述したように、蓄熱槽３２と蓄熱熱交換器３４と蓄熱材３６とで構成されている。なお、図４は、圧縮機６と、圧縮機６に組み付けられるアキュームレータ２６を蓄熱装置に取り付けた状態を示している。また、図５は蓄熱装置の分解斜視図である。
【００４１】
図５に示されるように、蓄熱槽３２は、側壁４６ａと底壁（図示せず）を有し上方が開口した樹脂製の蓄熱槽本体４６と、この蓄熱槽本体４６の上方開口部を閉塞する樹脂製の蓋体４８と、蓄熱槽本体４６と蓋体４８の間に介装されシリコンゴム等で作製されたパッキン５０とを備え、蓋体４８は蓄熱槽本体４６に螺着される。また、蓄熱槽本体４６の側壁４６ａの一部（つまり、側壁４６ａで圧縮機６と対向する部分）は開口しており、この開口部４６ｂの周縁には、圧縮機６の外周面と密着するための密着部材５２が接合される。
【００４２】
密着部材５２は、枠体５４とシート部材５６とで構成されており、全体として所定の直径の円筒の一部を切り欠いた形状を呈している。なお、密着部材５２の内側には、圧縮機６が収容されることから、取付公差等を考慮して密着部材５２の内径は圧縮機６の外径より僅かに大きく設定される。
【００４３】
また、枠体５４には、上下方向の中間部から下部にかけて開口部５４ａが形成されており、この開口部５４ａを閉塞するようにシート部材５６は枠体５４に接合される。
【００４４】
蓄熱槽３２はバンド３３で圧縮機６に密着固定されている。
【００４５】
また、図５では側壁４６ａに開口部４６ｂがある例で説明したが、本発明はこの構成に限定されるものではなく、このような開口部４６ｂがないものであっても良い。この場合、蓄熱槽３２の伝熱部と圧縮機６との密着性を良くするため、弾性があり伝熱性能に優れた樹脂製（例えばシリコンなど）のシート部材を蓄熱槽３２と圧縮機６との間に介在させると良い。
【００４６】
蓄熱熱交換器３４は、例えば銅管等を蛇行状に折曲したもので、蓄熱槽本体４６の内部に収容されており、蓄熱熱交換器３４の両端は蓋体４８から上方に延出され、一端は第６配管３８（図１参照）に接続される一方、他端は第７配管４０（図１参照）に接続される。また、蓄熱熱交換器３４が収容され、側壁４６ａと底壁と密着部材５２で囲繞された蓄熱槽本体４６の内部空間には、蓄熱材３６が充填される。
【００４７】
図６は、蓄熱槽３２を囲むように配設された断熱材５８の様子を表している。この断熱材５８は、蓄熱槽３２の外周方向に位置する蓄熱槽外周断熱材５８ａと、蓄熱槽３２の下方に位置する蓄熱槽底面断熱材５８ｂと、で形成される。暖房運転時の外気は温度が低く、蓄熱材３６の温度が低下しにくいように配設しているのであるが、室外においてはとりわけ地面の温度が低く、蓄熱槽３２の下方への熱の漏洩が大きいため、このように断熱材５８を蓄熱槽３２の下部を中心に配設しているのである。
【００４８】
図６に付与した記号を参照しながらさらに詳述すると、断熱材５８の底面からの高さをＴ１，蓄熱槽３２の底面からの高さをＴ２としたとき、本発明においてはＴ１／２をＴ２／２よりも下方に位置させている。あるいは、断熱材５８の高さ方向の重心位置Ｐ１（図示せず）、蓄熱槽３２の高さ方向の重心位置をＰ２（図示せず）としたとき、Ｐ１をＰ２よりも下方に位置させてもよい。
【００４９】
なお、図６に示すように蓄熱槽底面断熱材５８ｂを配設するとより効果的ではあるものの、蓄熱槽外周断熱材５８ａのみでも蓄熱材３６の保温効果は十分に得られ、効果的である。
【００５０】
さらに、本発明における断熱材５８には、その搭載スペースを極力小さくするために、断熱性能の高い真空断熱材を使用している。
【００５１】
ここで、蓄熱装置には、内部に充填された蓄熱材３６を撹拌するための撹拌手段は設けられておらず、蓄熱材３６の温度分布は均一ではないことから、本発明においては、効率的な熱交換を考慮して、蛇行するように折曲された蓄熱熱交換器３４を蓄熱槽３２の上部に配置している。
【００５２】
すなわち、蓄熱熱交換器３４の内部を通過する冷媒と、冷媒と熱交換を行う蓄熱材３６は、温度差が大きいほど熱交換量が大きくなり、除霜時間も短くなるが、高温の蓄熱材３６は蓄熱槽３２内の上方に集まり、低温の蓄熱材３６は蓄熱槽３２内の下方に集まることから、図７乃至図９に示されるように、屈曲部３４ａと、屈曲部３４ａの両端より上方に直線状に延びる直線部３４ｂを有する蓄熱熱交換器３４は、屈曲部３４ａの全体が蓄熱槽３２の上部の所定の範囲で蓄熱槽本体４６の内壁面に沿うように湾曲して配置されている。
【００５３】
図８を参照しながらさらに詳述すると、蓄熱槽３２の底面からの高さをＨ１、蓄熱槽３２の底面からの高さ方向の中心位置をＨ２（Ｈ２＝Ｈ１／２）、蓄熱槽３２の底面からの蓄熱熱交換器３４の屈曲部３４ａの下端の高さをＨ３、蓄熱槽３２の上面からの蓄熱熱交換器３４の屈曲部３４ａの上端までの距離をＨ４とすると、本発明においては、Ｈ３及びＨ４を所定の高さあるいは距離に設定している。
【００５４】
蓄熱熱交換器３４の高さ方向の重心位置ＣｏＢは蓄熱槽３２の高さ方向の中心位置Ｈ２よりも上方に設定される。なお、蓄熱熱交換器３４の高さ方向の重心位置ＣｏＢは、蓄熱交換器３４の屈曲部３４ａと直線部３４ｂを合わせた部分の重心位置のことである。ここで、蓄熱装置において、圧縮機６からの熱は蓄熱材３６に蓄積されるが、蓄熱槽３２の上方の蓄熱材３６の方が下方の蓄熱材３６よりも高温になる。本蓄積装置では、蓄熱熱交換器３４の重心位置が蓄熱槽３２の高さ方向の中心位置よりも上方に設定されているので、蓄熱熱交換器３４は、主として、蓄熱材３６において相対的に高温部分と熱交換を行う。言い換えると、本蓄熱熱交換器３４は、蓄熱材３６と効率的に熱交換を行うことができる。
【００５５】
また、本実施形態では、蓄熱熱交換器３４の下端の高さＨ３は、蓄熱槽３２の高さ方向の中心位置Ｈ２よりも下方で、中心位置Ｈ２の近傍に位置するように設定している。その結果、蓄熱熱交換器３４のすべてができるだけ高温の蓄熱材３６に接触するようになる。これにより、蓄熱熱交換器３４は、蓄熱材３６とより効率的に熱交換を行うことができる。
【００５６】
一方、蓄熱槽３２の上面からの蓄熱熱交換器３４の屈曲部３４ａの上端までの距離Ｈ４は、蓄熱槽３２の傾斜を考慮して決定される。すなわち、圧縮機６や蓄熱槽３２は通常室外機２に収容され、室外機２は傾いた状態で室外に設置されることがある。このような傾きを想定して、蓋体４８が蓄熱材３６の液面に浸からない程度に、蓄熱材３６を蓄熱槽３２に入れた場合に、蓄熱槽３２が所定の角度（例えば、設置面に対し約７°）まで傾斜しても、蓄熱熱交換器３４の屈曲部３４ａが常に蓄熱材３６に浸漬するように、蓄熱熱交換器３４の屈曲部３４ａの上端が、蓄熱槽３２の上面から所定の距離Ｈ４だけ下方に位置するように、蓄熱熱交換器３４は蓄熱槽３２の内部に設置される。なお、蓄熱材３６は、常
温で蓄熱槽３２の最大容積の８割程度の量を充填している。
【００５７】
なお、蓄熱熱交換器３４の重心位置をＨ２より上方に配置せずとも、蓄熱熱交換器３４の全管長の中心位置をＨ２よりも上方に配置しても構わない。
【００５８】
また、図４及び図７に示すように、蓄熱槽３２を圧縮機６の上方にも延在させ、当該延在部にも蓄熱熱交換器３４を設けることで、熱容量を確保することができる。
【００５９】
さらに、このように断熱材５８を配設することにより、運転停止中も保温された蓄熱材３６によって圧縮機６の温度低下も防ぐことができ、その結果、圧縮機６内の潤滑油の粘度を保てるため、冷凍サイクルが不安定になりがちなその立ち上がり時においても、性能を確保できる。その上で、蓄熱材３６に蓄積された熱を利用するため、運転開始時に蓄熱熱交換器３４に冷媒を流してもよい。
【００６０】
また、本実施の形態では、蓄熱装置を圧縮機６に対し着脱自在の構成としているが、圧縮機６の外殻と蓄熱槽本体４６とを金属製とし、両者を溶接等で固着するようにしても構わない。このような固着タイプの蓄熱槽においても、断熱材５８の配設位置を上述したように寸法設定することができる。
【００６１】
さらに、本実施の形態では、蓄熱熱交換器３４は蓄熱槽３２の内部に収容される場合について説明したが、圧縮機６の外周面に蓄熱熱交換器を直接巻きつけ、そのさらに周囲に断熱材を配設したものにおいても、本実施の形態と同様に寸法設定することができる。
【産業上の利用可能性】
【００６２】
本発明に係る蓄熱装置は、効率的な熱交換を考慮して、蓄熱槽内部における蓄熱熱交換器の設置位置を適宜設定しているので、空気調和機、冷蔵庫、給湯器、ヒートポンプ式洗濯機等に有用である。
【符号の説明】
【００６３】
２  室外機、  ４  室内機、  ６  圧縮機、  ８  四方弁、  １０  ストレーナ、  
１２  膨張弁、  １４  室外熱交換器、  １６  室内熱交換器、  １８  第１配管、
２０  第２配管、  ２２  第３配管、  ２４  第４配管、  ２６  アキュームレータ、
２８  第５配管、  ３０  第１電磁弁、  ３２  蓄熱槽、  ３４  蓄熱熱交換器、
３４ａ  屈曲部、  ３４ｂ  直線部、  ３６  蓄熱材、  ３８  第６配管、  
４０  第７配管、  ４２  第２電磁弁、  ４４  温度センサ、  ４６  蓄熱槽本体、
４６ａ  側壁、  ４６ｂ  側壁開口部、  ４８  蓋体、  ５０  パッキン、  
５２  密着部材、  ５４  枠体、  ５４ａ  開口部、  ５６  シート部材、
５８  断熱材、  ５８ａ  蓄熱槽外周断熱材、５８ｂ  蓄熱槽底面断熱材
【図１】
2012072963.tif 000003
【図２】
2012072963.tif 000004
【図３】
2012072963.tif 000005
【図４】
2012072963.tif 000006
【図５】
2012072963.tif 000007
【図６】
2012072963.tif 000008
【図７】
2012072963.tif 000009
【図８】
2012072963.tif 000010
【図９】
2012072963.tif 000011